(57)【要約】【課題】  従来は特開2003−３８２２０、特開平５−２６９００８が示すようにネックレスのペンダント部やベルトのバックル部などに発光表示部を取り付け、任意のデザイン、文字等の情報を表示させる装飾品はあったが、これらの装飾品は表示部の面積が限られており、また一方向にしか表示させることできなかった。【解決手段】  この解決手段としてネックレスやベルトなどの装飾品の帯部もしくは環部に曲面表示が可能な発光表示部を取り付け、その発光表示部に任意のデザイン、文字等の情報を表示させることで表示部分の面積を大幅に増やすことが可能となり、また全方向に表示させることが可能になる。【選択図】  図1
2010148556.tif 000002
【特許請求の範囲】
【請求項１】
任意のデザイン、文字等の情報を表示する発光表示部と、この任意のデザイン、文字等の情報を記憶するICチップと電源とを備える曲面表示が可能な発光表示部を帯部もしくは環部に用いた装飾品。
【請求項２】
任意のデザイン、文字等の情報を切り替える操作部と電源操作部とを備えた請求項1記載の曲面表示が可能な発光表示部を帯部もしくは環部に用いた装飾品。
【請求項３】
信号入力端子及び、電波受信装置を備えた請求項１又は請求項２記載の曲面表示が可能な発光表示部を帯部もしくは環部に用いた装飾品。
【発明の詳細な説明】
【技術分野】
【０００１】
この発明は曲面表示が可能な発光表示部を帯部もしくは環部に用いた装飾品に関するものである。
【背景技術】
【０００２】
従来は特開2003−３８２２０、特開平５−２６９００８が示すようにネックレスのペンダント部やベルトのバックル部などに発光表示部を取り付け、任意のデザイン、文字等の情報を表示させる装飾品はあったが、これらの装飾品は表示部の面積が限られており、また一方向にしか表示させることできなかった。
【０００３】
この改善策としてネックレスやベルトなどの装飾品の帯部もしくは環部に曲面表示が可能な発光表示部を取り付け、その発光表示部に任意のデザイン、文字等の情報を表示させることで表示部分の面積を大幅に増やすことが可能となり、また全方向に表示させることが可能になる。
【０００４】
【特許文献１】特開2003−３８２２０
【特許文献２】特開平５−２６９００８
【発明の開示】
【発明が解決しようとする課題】
【０００５】
曲面表示が可能な発光表示部があるにもかかわらず、ネックレスやベルトなどの装飾品の帯部もしくは環部に発光表示部を取り付けたものはなかった。本発明はネックレスやベルトなどの装飾品の帯部もしくは環部に曲面表示が可能な発光表示部を取り付け、その発光表示部に任意のデザイン、文字等の情報を表示させることで表示部分の面積を大幅に増やし、また全方向に表示させることを可能とする装飾品の提供を目的とするものである。
【課題を解決するための手段】
【０００６】
上記目的を達成するため請求項１記載の発明は任意のデザイン、文字等の情報を表示する曲面表示が可能な発光表示部と、この任意のデザイン、文字等の情報を記憶するICチップと、電源とを備える構成としてある。
【０００７】
上記目的を達成するため請求項2記載の発明は請求項1に係わる発明であり、任意のデザイン、文字等の情報を表示する曲面表示が可能な発光表示部を帯部もしくは環部に用いた装飾品に、この任意のデザイン、文字等の情報を切り替える操作部と電源操作部を取り付けたものである。
【０００８】
上記目的を達成するため請求項３記載の発明は請求項1及び、請求項２に係わる発明であり、任意のデザイン、文字等の情報を表示する曲面表示が可能な発光表示部を帯部もしくは環部に用いた装飾品に信号入力端子及び電波受信装置を取り付けたものである。
【発明の効果】
【０００９】
本発明はネックレスやベルトなどの装飾品の帯部もしくは環部に曲面表示が可能な発光表示部を取り付け、その発光表示部に任意のデザイン、文字等の情報を表示させることで表示部分の面積を大幅に増やし、また全方向に表示させることを可能とする。
【００１０】
従来、夜光塗料や反射板などを取り付けて光があたった際に発光する装飾品はあったが自身で発光する装飾品はなかった。本発明は自身で発光する曲面表示が可能な発光表示部を取り付け、光がないところでも容易に発光し、また発光保持でき、さらに全方向に発光することが可能なため、夜間のパトロールや通行識別など他の技術分野でも応用が可能である。
【発明を実施するための最良の形態】
【００１１】
請求項１記載の発明によれば、記憶してあるデザイン、文字等の情報を曲面表示が可能な発光表示部に表示し、その発光表示部を帯部もしくは環部に用いることにより表示部分の面積を大幅に増やし、また全方向に表示させることを可能とする。
【００１２】
請求項2記載の発明によれば、任意のデザイン、文字等の情報を切り替える操作部により記録してあるデザイン、文字等の情報を選択して曲面表示が可能な発光表示部に表示し、季節や気分によって好みのデザイン、文字等の情報を表示させることを可能とし、また電源操作部により必要に応じて電源を入れたり切ったりでき、不要な時には電気の消耗を防ぐことを可能とする。
【００１３】
請求項３記載の発明によれば、信号入力端子により、他の電子機器から任意のデザイン、文字等の情報を受信し、ICチップに入力でき、曲面表示が可能な発光表示部にその入力した任意のデザイン、文字等の情報を表示させることを可能とする。また電波受信装置により、他の電波送信装置から任意のデザイン、文字等の情報を受信し、ICチップに入力でき曲面表示が可能な発光表示部にその入力した任意のデザイン、文字等の情報を表示させることを可能とする。
【実施例】
【００１４】
図１は本発明の第１の形態例を示すものである。ネックレス、ブレスレット、指輪、アンクレット、ベルト等の装飾品の帯部もしくは環部に曲面表示が可能な発光表示部を取り付け、任意のデザイン、文字等の情報を表示する発光表示部と、任意のデザイン、文字等の情報を記憶するICチップと電源を具備している。
【００１５】
図２は本発明の第２の形態例を示すものである。装飾品の帯部もしくは環部に曲面表示が可能な発光表示部を取り付け、任意のデザイン、文字等の情報を表示する発光表示部と、任意のデザイン、文字等の情報を記憶するICチップと任意のデザイン、文字等の情報を切り替える操作部と電源及び電源操作部を具備している。
【００１６】
図３は本発明の第３の形態例を示すものである。装飾品の帯部もしくは環部に曲面表示が可能な発光表示部を取り付け、任意のデザイン、文字等の情報を表示する発光表示部と、任意のデザイン、文字等の情報を記憶するICチップと任意のデザイン、文字等の情報を切り替える操作部と信号入力端子及び電波受信装置と電源及び電源操作部を具備している。信号入力端子及び電波受信装置により、他の電子機器や電波送信装置から任意のデザイン、文字等の情報をICチップに入力し、その情報を発光表示部に表示させることができる。信号入力端子と電波受信装置は両方取り付けてもよいし、どちらか片方のみを取り付けてもよい。
【図面の簡単な説明】
【００１７】
【図１】本発明の第１の形態例を示す斜視図と一部背面図である。
【図２】本発明の第２の形態例を示す斜視図と一部背面図である。
【図３】本発明の第３の形態例を示す斜視図と一部背面図である。
【符号の説明】
【００１８】
1  電源
2  発光表示部
3  ICチップ
4  電源操作部
5  デザイン切替操作部
6  信号入力端子
7  電波受信装置
【図１】
2010148556.tif 000003
【図２】
2010148556.tif 000004
【図３】
2010148556.tif 000005